(57)【特許請求の範囲】
【請求項１】
遮断弁を駆動する駆動手段を有する遮断弁ユニットと電気的に接続され且つ前記遮断弁ユニットの遮断弁を駆動させるために外部電源からの電力を供給する駆動電力供給手段と、前記外部電源の停電を検出する停電検出手段と、前記停電検出手段による停電の検出に応じて前記遮断弁を遮断駆動させるための遮断電力を発生するバックアップ電源と、を有する遮断弁電力供給装置において、
前記停電検出手段が検出した停電が瞬間的な瞬時停電であるか否かを判定する瞬時停電判定手段と、
前記遮断弁ユニットの遮断弁を遮断駆動させるか否かを設定する設定手段と、
前記瞬時停電判定手段が瞬時停電ではないと判定したときは前記バックアップ電源の遮断電力を前記遮断弁ユニットに供給し且つ前記瞬時停電判定手段が瞬時停電であると判定したときは前記バックアップ電源の遮断電力を前記遮断弁ユニットに供給しない遮断電力供給制御手段と、
を有し、
前記遮断電力供給制御手段が、前記設定手段に遮断弁を遮断させないと設定されているときは、前記瞬時停電判定手段が瞬時停電ではないと判定しても、前記バックアップ電源の遮断電力を前記遮断弁ユニットに供給しない手段であることを特徴とする遮断弁電力供給装置。
【請求項２】
請求項１記載の遮断弁電力供給装置と、電源線によって接続された前記遮断弁電力供給装置からの電力によって駆動する遮断弁ユニットと、を有することを特徴とする遮断システム。
【請求項３】
前記遮断弁ユニットが、前記遮断弁電力供給装置との間で通信を行うユニット側通信手段と、前記遮断弁電力供給装置からの電力供給の停止を検出する供給停止検出手段と、前記供給停止検出手段による停止の検出に応じて、前記ユニット側通信手段を介して停電情報を前記遮断弁電力供給装置に送信する停電情報送信手段と、を有し、
前記遮断弁電力供給装置が、前記ユニット側通信手段との間で通信を行う装置側通信手段と、前記装置側通信手段が受信した前記停電情報と前記停電検出手段の検出状態とに基づいて、電源系の異常箇所を推測する異常箇所推測手段と、前記異常箇所推測手段が推測した異常箇所を通知する通知手段と、を有することを特徴とする請求項２記載の遮断システム。
【発明の詳細な説明】
【技術分野】
【０００１】
本発明は、外部電源の停電のときに遮断弁を弁閉させるための遮断電力を発生するバックアップ電源を内蔵し、停電のときはその遮断電力によって遮断弁を弁閉させる遮断弁電力供給装置及び当該遮断弁電力供給装置を有する遮断システムに関するものである。
【背景技術】
【０００２】
特許文献１等に示すガス遮断制御装置は、商用電源を電源として動作し、商用電源が供給されてから一定時間後にガス漏れ状態を感知する動作を開始し、ガス漏れ状態を感知している間継続してガス漏れ警報を発するとともに、ガス漏れ検知信号を生成して出力するガス警報器と、ガス供給路に設けられガス遮断命令信号を受けてガス供給路に流れるガスの流れを遮断する遮断弁とともにガス遮断システムを構成するために使用され、ガス警報器から入力するガス漏れ検知信号に基づいてガス遮断命令信号を遮断弁に対して出力して弁閉させ、ガス供給路を流れるガスを遮断駆動させる制御を行うことが知られている。
【０００３】
このようなガス遮断制御装置は、停電時のバックアップ用電源（具体的には、大容量のコンデンサーや電池によって実現された２４Ｖ等の直流電源）を内蔵しており、商用電源に停電を検知した場合に、該バックアップ用電源からの電力によってガス遮断命令信号を遮断弁に対して出力して弁閉させている。
【特許文献１】特開２００３−２７９０２６号公報
【発明の開示】
【発明が解決しようとする課題】
【０００４】
また、停電については、大別すると、停電時間の短い瞬時停電とそれ以外の停電との２種類に分類されることが知られている。そして、これまでは瞬時停電の場合、ガスを遮断しなくても安全が確保できると考えられてきたが、安全性の向上を考慮すると、瞬時停電のときもガスを遮断するのが望ましい。しかしながら、その遮断には上述したバックアップ用電源の電力によって遮断弁を駆動させる必要があるため、瞬時停電が頻発する環境下ではバックアップ電源を無駄に消費してしまうという問題があった。特に、遮断弁がモータ駆動方式の場合はソレノイド方式よりも駆動に要する駆動時間が長いため、その分バックアップ用電源を消費することになり、容量の大きなバックアップ用電源を内蔵する必要があり、コストアップの問題が生じてしまう。
【０００５】
また、瞬時停電の検知の度に遮断弁を弁閉させる場合、ガス供給設備におけるガスの流れも遮断されることから、業務用などのガス供給設備では業務に支障を来すため、利便性を低下させてしまうという問題が生じていた。
【０００６】
よって本発明は、上述した問題点に鑑み、利便性を低下させることなく安全性を向上し且つバックアップ電源の無駄な消費を回避することができる遮断弁電力供給装置を提供することを課題としている。
【課題を解決するための手段】
【０００７】
上記課題を解決するため本発明によりなされた請求項１記載の遮断弁電力供給装置は、図１の基本構成図に示すように、遮断弁２６を駆動する駆動手段２５を有する遮断弁ユニット２０と電気的に接続され且つ前記遮断弁ユニット２０の遮断弁２６を駆動させるために外部電源２からの電力を供給する駆動電力供給手段１１ａ１と、前記外部電源２の停電を検出する停電検出手段１４と、前記停電検出手段１４による停電の検出に応じて前記遮断弁２６を遮断駆動させるための遮断電力を発生するバックアップ電源１５と、を有する遮断弁電力供給装置１０において、前記停電検出手段１４が検出した停電が瞬間的な瞬時停電であるか否かを判定する瞬時停電判定手段１１ａ２と、前記遮断弁ユニット２０の遮断弁２６を遮断駆動させるか否かを設定する設定手段１６と、前記瞬時停電判定手段１１ａ２が瞬時停電ではないと判定したときは前記バックアップ電源１５の遮断電力を前記遮断弁ユニット２０に供給し且つ前記瞬時停電判定手段１１ａ２が瞬時停電であると判定したときは前記バックアップ電源１５の遮断電力を前記遮断弁ユニット２０に供給しない遮断電力供給制御手段１１ａ３と、を有し、前記遮断電力供給制御手段１１ａ３が、前記設定手段１６に遮断弁２６を遮断させないと設定されているときは、前記瞬時停電判定手段１１ａ２が瞬時停電ではないと判定しても、前記バックアップ電源１５の遮断電力を前記遮断弁ユニット２０に供給しない手段であることを特徴とする。
【０００８】
上記請求項１に記載した本発明の遮断弁電力供給装置によれば、停電検出手段１４によって外部電源２の停電が検出されると、その電力供給の状態を継続して監視して該停電が瞬時停電であるか否かが瞬時停電判定手段１１ａ２によって判定される。そして、遮断弁２６を遮断駆動させると設定手段１６に設定されている場合、瞬時停電判定手段１１ａ２によって瞬時停電ではないと判定されたときは、遮断電力供給制御手段１１ａ３によってバックアップ電源１５の遮断電力が遮断弁ユニット２０に供給されることで、遮断弁２６によって遮断される。また、瞬時停電判定手段１１ａ２によって瞬時停電であると判定されたときは、遮断電力供給制御手段１１ａ３によってバックアップ電源１５の遮断電力は遮断弁ユニット２０には供給されず、遮断弁２６が開放されたままとなる。さらに、遮断弁２６を遮断させないと設定手段１６に設定されている場合、瞬時停電判定手段１１ａ２によって瞬時停電ではないと判定されたときは、遮断電力供給制御手段１１ａ３によってバックアップ電源１５の遮断電力は遮断弁ユニット２０には供給されず、遮断弁２６が開放されたままとなる。
【０００９】
上記課題を解決するため本発明によりなされた請求項２記載の遮断システムは、図１の基本構成図に示すように、請求項１記載の遮断弁電力供給装置１０と、電源線３によって接続された前記遮断弁電力供給装置１０からの電力によって駆動する遮断弁ユニット２０と、を有することを特徴とする。
【００１０】
上記請求項２に記載した本発明の遮断システムによれば、遮断弁ユニット２０は遮断弁電力供給装置１０から供給される外部電源２からの電力によって動作する。そして、遮断弁電力供給装置１０は外部電源２の停電を検出すると、当該停電が瞬時停電か否かを判定し、瞬時停電ではない場合はバックアップ電源１５の電力を遮断電力として遮断弁ユニット２０に供給する。これにより、遮断弁ユニット２０は遮断電力によって駆動手段２７が遮断弁２６を遮断駆動させる。また、遮断弁電力供給装置１０は、設定手段１６に遮断弁２６を遮断させないと設定されている場合、バックアップ電源１５の遮断電力は遮断弁ユニット２０には供給されず、遮断弁２６が開放されたままとなる。
【００１１】
請求項３記載の発明は、図１の基本構成図に示すように、請求項２に記載の遮断システムにおいて、前記遮断弁ユニット２０が、前記遮断弁電力供給装置１０との間で通信を行うユニット側通信手段２３と、前記遮断弁電力供給装置１０からの電力供給の停止を検出する供給停止検出手段２４と、前記供給停止検出手段２４による停止の検出に応じて、前記ユニット側通信手段２３を介して停電情報を前記遮断弁電力供給装置１０に送信する停電情報送信手段２１ａと、を有し、前記遮断弁電力供給装置１０が、前記ユニット側通信手段２３との間で通信を行う装置側通信手段１３と、前記装置側通信手段１３が受信した前記停電情報と前記停電検出手段１４の検出状態とに基づいて、電源系の異常箇所を推測する異常箇所推測手段１１ａ４と、前記異常箇所推測手段１１ａ４が推測した異常箇所を通知する通知手段１１ａ５と、を有することを特徴とする。
【００１２】
上記請求項３に記載した本発明の遮断システムによれば、遮断弁ユニット２０は供給停止検出手段２４によって遮断弁電力供給装置１０からの電力供給の停止を検出すると、停電情報送信手段２１ａによってユニット側通信手段２３を介して停電情報を遮断弁電力供給装置１０に送信する。そして、遮断弁電力供給装置１０は、停電を検出していない状態でその停電情報を受信すると、異常箇所推測手段１１ａ４によって停電情報と停電検出手段１４の検出状態とに基づいて電源線３、電力供給手段１１、バックアップ電源１５等の電源系の異常箇所を推測し、その異常箇所を通知手段１１ａ５によって通知する。
【発明の効果】
【００１３】
以上説明したように請求項１，２に記載した本発明によれば、遮断弁電力供給装置が停電を検出したときに遮断弁に遮断電力を供給するか否かを設定手段で設定できるようにしたことから、瞬時停電であるか否かを判定したときに遮断弁ユニットの遮断弁を駆動させることができるため、安全性の向上を図ることができる。しかも、瞬時停電が頻発する場合は、瞬時停電の検出に応じた遮断弁の駆動を停止させることができるので、遮断弁電力供給装置におけるバックアップ電源の電力を無駄に消費することを防止できる。従って、利便性を低下させることなく安全性を向上し且つバックアップ電源の無駄な消費を回避することができる遮断弁電力供給装置及び遮断システムを提供できる。
【００１４】
請求項３に記載した本発明によれば、上述した効果に加え、遮断弁ユニットが遮断弁電力供給装置からの電力が断たれたことを検出したときに、停電情報を遮断弁電力供給装置に送信し、遮断弁電力供給装置がその停電情報の受信に応じて電源系の異常箇所を推測して通知するようにしたことから、電源系の異常箇所を速やかに修理することができるため、瞬時停電ではないとの判定に応じて確実に遮断弁を遮断駆動させることができ、安全性をより一層向上させることができる。
【発明を実施するための最良の形態】
【００１５】
以下、本発明に係る遮断弁電力供給装置を有する遮断システムをガス保安システムに適用する場合の一実施形態を、図１〜図５の図面を参照して以下に説明する。
【００１６】
図２において、ガス保安システム１は、図１に示す遮断システムに相当し、宅内等に設けられる操作装置１０と、ガス供給路の配管５に組み込まれ且つ操作装置１０の制御等によって配管５を遮断する遮断弁ユニット２０と、を有して構成している。そして、操作装置１０は、外部電源２及び遮断弁ユニット２０と電気的に接続されており、当該外部電源２から供給される電力によって動作すると共に、その電力を遮断弁ユニット２０に供給している。
【００１７】
なお、本実施形態では、操作装置１０を本発明の遮断弁電力供給装置として機能させる場合について説明するが、本発明はこれに限定するものではなく、遮断弁ユニット２０で実現する、操作装置１０とは別の専用の装置としてシステムに組み込むなど種々異なる実施形態とすることができる。また、外部電源２が、商用電源の場合について説明するが、実施形態に応じたバッテリー置等の各種電源を用いることができる。
【００１８】
操作装置１０は、図１に示す請求項中の遮断弁電力供給装置に相当し、予め定められたプログラムに従って動作するマイクロプロセッサ（ＭＰＵ）１１を有している。ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００１９】
ＲＯＭ１１ｂは、ＣＰＵ１１ａを図１に示す請求項中の駆動電力供給手段１１ａ１、瞬時停電判定手段１１ａ２、遮断電力供給制御手段１１ａ３、異常箇所推測手段１１ａ４、及び、通知手段１１ａ５として機能させるための停電時電力供給処理プログラム等の各種プログラムを記憶している。そして、ＣＰＵ１１ａが停電時電力供給処理プログラムを実行することで、上述した瞬時停電判定手段１１ａ２、遮断電力供給制御手段１１ａ３、異常箇所推測手段１１ａ４、及び、通知手段１１ａ５として機能することになる。
【００２０】
操作装置１０はさらに、メモリ部１２と、通信部１３と、停電検出部１４、バックアップ電源１５、設定部１６、表示部１７と、操作部１８と、を有しており、ＭＰＵ１１と電気的に接続されている。
【００２１】
メモリ部１２は、電力供給が断たれた場合でも、格納された各種データの保持が可能であり、ＣＰＵ１１ａの処理作業に必要な各種格納エリアを有する電気的消去／書き換え可能なメモリ（ＥＥＰＲＯＭ）等が用いられる。このメモリ部１２には、瞬時停電と判定するための判定条件情報等の各種情報を記憶する。
【００２２】
通信部１３は、電源線３と信号線４とを有するケーブルと電気的に接続されると共に、ＭＰＵ１１と電気的に接続されている。通信部１３は、前記電源線３を介して遮断弁ユニット２０に、ＭＰＵ１１を介した外部電源２又はバックアップ電源１５からの電力を供給する。通信部１３は、前記信号線４を介してＭＰＵ１１から入力される各種電文を示す信号を遮断弁ユニット２０に送信すると共に、前記信号線４を介して遮断弁ユニット２０から受信した信号が示す電文をＭＰＵ１１に出力する。
【００２３】
停電検出部１４は、図１に示す請求項中の停電検出手段に相当し、トランジスタ、フォトカプラ、リレー等が任意に用いられ、本実施形態では、トランジスタを用いた場合について説明する。そして、停電検出部１４は、図３に示すように、トランジスタ１４ａのベースに外部電源２が抵抗Ｒ１を介して電気的に接続され、コレクタにバックアップ電源１５がプルアップ抵抗Ｒ２を介して電気的に接続され、エミッタは回路のグランドに接続されている。また、停電検出部１４のコレクタとプルアップ抵抗Ｒ２との間には、ＭＰＵ１１の停電検出ポート１１ｅが電気的に接続されている。
【００２４】
停電検出部１４は、外部電源２からの電力供給がある場合、当該電力はトランス等で適切な電圧まで落とされてベースに印加される。また、バックアップ電源１５が充電される。よって、外部電源２から電力が供給されている通常時は、トランジスタ１４ａがＯＮしてＭＰＵ１１の停電検出ポート１１ｅがＬＯ状態となる。
【００２５】
また、停電検出部１４は、停電時に外部電源２からの電力供給が断たれた場合、ベースの電圧が０Ｖになり、トランジスタ１４ａはＯＦＦして、プルアップ抵抗Ｒ２によって停電検出ポート１１ｅがＬＯ状態からＨＩ状態に変化する。このように停電検出部１４を構成することで、ＭＰＵ１１は停電検出ポート１１ｅの状態変化によって停電発生状況が判断できるようになっている。そして、ＭＰＵ１１は、停電を検出した後、該停電が０．１秒から２秒程度の瞬時停電であるか否かを判別するために、予め定められた監視時間である５秒間にわたって停電検出部１４の状態を監視する。
【００２６】
バックアップ電源１５は、図１に示す請求項中のバックアップ電源に相当し、大容量のコンデンサーや電池によって実現された直流電源となっている。バックアップ電源１５は、例えば１００秒などの停電時にＭＰＵ１１を動作させるのに必要な電力を考慮した容量となっている。ＭＰＵ１１は、そのバックアップ電力によって停電時に遮断弁ユニット２０に対して遮断要求信号を送信する。
【００２７】
設定部１６は、図１に示す請求項中の設定手段に相当し、ＭＰＵ１１が瞬時停電であると判定したときに前記遮断弁ユニット２０の遮断弁２６を遮断駆動させるか否かが作業者等によって設定される。設定部１６は、操作装置１０のケース本体で隠され且つ作業者によってのみ操作が可能な設定用のディップスイッチを有している。設定部１６は、前記ディップスイッチが操作装置１０の設置時等に作業者等によって設定され、ＭＰＵ１１によってディップスイッチの設定状態（ＯＮ／ＯＦＦ等）が検出される。なお、前記設定手段としては、ジャンパーの有無等で実現するなど種々異なる実施形態とすることができる。
【００２８】
表示部１７は、ＭＰＵ１１と電気的に接続されており、ＭＰＵ１１からの要求に応じて表示が可能な構成となっている。表示部１７は、図示しないが、停電検知、故障検知、ガス使用可、ガス停止中等の各々に対応したＬＥＤの点灯によって表示状態となり、ＬＥＤの消灯によって非表示状態となる。
【００２９】
操作部１８は、ＭＰＵ１１と電気的に接続されており、後述する遮断弁２６の弁閉／弁開を要求するための遮断弁開閉スイッチを有している。そして、ＭＰＵ１１は、その操作に応じて遮断要求信号／開放要求を遮断弁ユニット２０に送信する。
【００３０】
上述した構成の操作装置１０のＣＰＵ１１ａは、外部電源２からの電力供給によって起動されると、所定のプログラムを実行することで、その電力の一部を通信部１３の電源線３を介して遮断弁ユニット２０に供給する。これにより、遮断弁ユニット２０は起動されて動作可能状態となる。よって、本実施形態では、ＣＰＵ１１ａが、図１に示す請求項中のステップＳ１７が駆動電力供給手段１１ａ１として機能する場合について説明するが、本発明はこれに限定するものではなく、例えばＭＰＵ１１とは別体の電力制御回路等を用いて電力を供給するなど種々異なる実施形態とすることができる。
【００３１】
次に、上述したＣＰＵ１１ａが実行する停電時制御処理の一例を、図４に示すフローチャートを参照して以下に説明する。
【００３２】
ＣＰＵ１１ａによってＲＯＭ１１ｂの停電時電力供給処理プログラムが実行されると、ステップＳ１１において、通信部１３を介して遮断弁ユニット２０から停電情報を受信したか否かが判定される。停電情報を受信していないと判定された場合（Ｓ１１でＮ）、この判定処理を繰り返すことで、停電情報の受信を待つ。一方、停電情報を受信していると判定された場合（Ｓ１１でＹ）、ステップＳ１２に進む。
【００３３】
ステップＳ１２において、停電検出部１４に接続された停電検出ポート１１ｅの状態を参照して、外部電源２が停電中であるか否かが判定される。停電中であると判定された場合（Ｓ１２でＹ）、ステップＳ１３において、設定部１６の設定状態がＯＮであるか否かが判定される。設定状態がＯＮであると判定された場合（Ｓ１３でＹ）、ステップＳ１４に進む。
【００３４】
ステップＳ１４において、タイマー等を用いて外部電源２の停電を検出してから５秒が経過したか否かが判定される。なお、前記５秒は、瞬時停電を判定するために任意に設定される上述した監視時間の値となっている。そして、５秒が経過していると判定された場合（Ｓ１４でＹ）、ステップＳ１７に進む。一方、５秒が経過していないと判定された場合（Ｓ１４でＮ）、ステップＳ１５に進む。
【００３５】
ステップＳ１５において、停電検出部１４に接続された停電検出ポート１１ｅの状態を参照して、外部電源２が復電したか否かが判定される。復電していると判定された場合（Ｓ１５でＹ）、処理を終了する。一方、復電していないと判定された場合（Ｓ１５でＮ）、ステップＳ１６において、通信部１３や図示しない接続端子等を介して外部から遮断要求信号が入力されたか否かが判定される。遮断要求信号の入力なしと判定された場合（Ｓ１６でＮ）、ステップＳ１４に戻り、一連の処理が繰り返される。一方、遮断要求信号の入力ありと判定された場合（Ｓ１６でＹ）、ステップＳ１７に進む。
【００３６】
ステップＳ１７において、通信部１３の電源線３を介してバックアップ電源１５の電力を遮断電力として遮断弁ユニット２０に供給されるとともに、遮断命令が通信部１３の信号線を介して遮断弁ユニット２０に送信され、ステップＳ１８において、通信部１３の信号線を参照して、遮断弁ユニット２０から遮断完了情報を受信したか否かが判定される。遮断完了情報を受信したと判定された場合（Ｓ１８でＹ）、ステップＳ１９において、電源線３を介したバックアップ電源１５からの遮断電力の供給が停止され、ステップＳ２０において、復電後、遮断弁２６の弁閉状態の表示が表示部１７に要求されることで、表示部１７に「ガス停止中」を表示させ、その後処理を終了する。
【００３７】
また、ステップＳ１８で遮断完了情報を受信していないと判定された場合（Ｓ１８でＮ）、ステップＳ２１において、遮断電力の供給を開始してから遮断弁２６の予め定められた遮断完了時間が経過したか否かが判定される。経過していないと判定された場合（Ｓ２１でＮ）、ステップＳ１８に戻り、一連の処理が繰り返される。一方、遮断完了時間が経過したと判定された場合（Ｓ２１でＹ）、ステップＳ２２において、通信部１３の電源線３を介したバックアップ電源１５からの遮断電力が停止され、ステップＳ２３において、復電後、遮断弁２６の故障の表示が表示部１７に要求されることで、表示部１７に「故障検知」を表示させ、その後処理を終了する。
【００３８】
また、ステップＳ１３で設定部１６の設定状態がＯＮではない、つまりＯＦＦであると判定された場合（Ｓ１３でＮ）、ステップＳ２３において、通信部１３や図示しない接続端子等を介して外部から遮断要求信号が入力されたか否かが判定される。遮断要求信号の入力ありと判定された場合（Ｓ２３でＹ）、上記ステップＳ１７に進む。一方、遮断要求信号の入力なしと判定された場合（Ｓ２３でＮ）、ステップＳ２４に進む。
【００３９】
ステップＳ２４において、遮断要求信号の監視時間を示す所定時間が経過したか否かが判定される。所定時間が経過したと判定された場合（Ｓ２４でＹ）、ステップＳ２５において、遮断要求信号の監視が停止され、その後処理を終了する。一方、ステップＳ２４において、所定時間が経過していないと判定された場合（Ｓ２４でＮ）、ステップＳ２６において、停電検出部１４に接続された停電検出ポート１１ｅの状態を参照して、外部電源２が復電したか否かが判定される。復電していると判定された場合（Ｓ２６でＹ）、処理を終了する。一方、復電していないと判定された場合（Ｓ２６でＮ）、ステップＳ２３に戻り、一連の処理が繰り返される。
【００４０】
また、ステップＳ１２で停電中でないと判定された場合（Ｓ１２でＮ）、ステップＳ２７において、上記駆動電力供給手段１１ａ１に相当する電源系等の故障を検知しているか否かが判定される。電源故障を検知していると判定された場合（Ｓ２７でＹ）、ステップＳ２８において、電源故障の表示が表示部１７に要求されることで、表示部１７に「故障検知」を表示させ、その後処理を終了する。一方、電源故障を検知していないと判定された場合（Ｓ２７でＮ）、ステップＳ２９において、電源線断線の表示が表示部１７に要求されることで、表示部１７に「電源線断線」を表示させ、その後処理を終了する。
【００４１】
以上説明したように、ＣＰＵ１１ａは図４に示す停電時電力供給処理を実行することで、ＣＰＵ１４ａが図１に示す請求項中の瞬時停電判定手段１１ａ２、遮断電力供給制御手段１１ａ３、異常箇所推測手段１１ａ４、及び、通知手段１１ａ５として機能することになる。そして、図４中のステップＳ１４が瞬時停電判定手段１１ａ２、ステップＳ１３〜Ｓ２２の一連の処理が遮断電力供給制御手段１１ａ３、ステップＳ１１〜Ｓ１２及びステップＳ２７が異常箇所推測手段１１ａ４、ステップＳ２８及びＳ２９が通知手段１１ａ５に相当している。
【００４２】
次に、上述した操作装置１０から供給される電力によって動作する遮断弁ユニット２０の概略構成の一例を、図２の図面を参照して以下に説明する。
【００４３】
遮断弁ユニット２０は、上述した操作装置１０から電源線３等を介して供給された電力によって駆動され、予め定められたプログラムに従って動作するマイクロプロセッサ（ＭＰＵ）２１と、メモリ部２２と、通信部２３と、停電検出回路２４と、バックアップ電源２５と、遮断弁２６と、駆動部２７と、を有して構成しており、それらは電気的に接続されている。
【００４４】
ＭＰＵ２１は、上述したように、ＣＰＵ２１ａとＲＯＭ２１ｂとＲＡＭ２１ｃとを有している。ＲＯＭ２１ｂは、ＣＰＵ２１ａを図１に示す請求項中の停電情報送信手段として機能させ且つ停電検出時の処理を行うための停電時駆動処理プログラム等を記憶している。そして、ＣＰＵ２１ａが停電時駆動処理プログラムを実行することで、上述した停電情報送信手段として機能することになる。また、メモリ部２２は、ＥＥＰＲＯＭ等が用いられ、操作装置１０から受信した各種情報を記憶する。
【００４５】
通信部２３は、上述した電源線３と信号線４と電気的に接続されると共に、ＭＰＵ２１と電気的に接続されている。通信部２３は、前記電源線３を介して操作装置１０から外部電源２又はバックアップ電源１５からの電力が供給され、その電力をＭＰＵ２１に出力することで、ＭＰＵ２１が動作する構成となっている。通信部２３は、前記信号線４を介してＭＰＵ２１から入力される各種電文を示す信号を操作装置１０に送信すると共に、前記信号線４を介して操作装置１０から受信した信号が示す電文をＭＰＵ２１に出力する。
【００４６】
停電検出部２４は、図１に示す請求項中の供給停止手段２４に相当し、トランジスタ、フォトカプラ、リレー等が任意に用いられ、本実施形態では、トランジスタを用いた場合について説明する。なお、停電検出部２４は、上述した操作装置１０の停電検出部１４と同一の構成となっているため、詳細な説明は省略するが、トランジスタのベースが通信部２３の電源線３と電気的に接続され、ＭＰＵ２１との接続形態は同一となる。停電検出部２４は、操作装置１０からの電力供給の停止を停電として検出している。
【００４７】
バックアップ電源２５は、大容量のコンデンサーや電池によって実現された直流電源となっている。バックアップ電源２５は、モータ駆動方式の遮断弁２６を遮断駆動させるなど、停電時に所定の時間にわたってＭＰＵ２１を動作させるのに必要な電力を考慮した十分な容量となっている。なお、通常は操作装置１０から供給される電力で充電される。
【００４８】
遮断弁２６は、駆動部２７を介してＭＰＵ２１に電気的に接続されており、モータ駆動方式遮断弁、ソレノイド方式遮断弁等が任意に用いられる。本実施形態では、遮断弁２４としてモータ駆動方式遮断弁を用いる場合について説明する。そして、遮断弁２４は、ＭＰＵ２１によって弁閉されると、配管５におけるガスの供給を遮断し、また、弁開されると、配管５におけるガスの供給を可能とする。駆動部２７は、図１に示す請求項中の駆動手段２７に相当し、ＭＰＵ２１からの弁閉要求に応じて遮断弁２６に弁閉駆動信号を出力し、または、弁開要求に応じて遮断弁２６に弁開駆動信号を出力することで、遮断弁２６が回動される。
【００４９】
次に、ＣＰＵ２１ａが実行する停電時駆動処理の一例を、図５に示すフローチャートを参照して以下に説明する。
【００５０】
ＣＰＵ２１ａによってＲＯＭ２１ｂの停電時駆動処理プログラムが実行されると、ステップＴ５１において、停電検出部２４に接続された各ポートの状態を参照して、停電が発生しているか否かが判定される。停電が発生していないと判定された場合（Ｔ５１でＮ）、この判定処理を繰り返すことで、停電の発生が監視される。一方、停電が発生していると判定された、つまり操作装置１０から電力が供給されていない場合（Ｔ５１でＹ）、ステップＴ５２に進む。
【００５１】
ステップＴ５２において、停電の発生を示す停電情報の送信が通信部２３に要求されることで、該停電情報が通信部２３の信号線を介して操作装置１０に送信され、ステップＴ５３において、通信部の信号線を介して操作装置１０から遮断命令を受信したか否かが判定される。受信していないと判定された場合（Ｔ５３でＮ）、この判定処理を繰り返すことで、遮断命令の監視が継続される。一方、遮断命令を受信したと判定された場合（Ｔ５３でＹ）、ステップＴ５４に進む。
【００５２】
ステップＴ５４において、通信部２３の電源線３を介して供給された遮断電力が駆動部２７に供給されると共に、弁閉が要求されることで、駆動部２７によって遮断弁２６が弁閉位置まで駆動され、ステップＴ５５において、遮断弁２６の回動位置、駆動時間等に基づいて、遮断弁２６の遮断が完了したか否かが判定される。遮断が完了したと判定された場合（Ｔ５５でＮ）、ステップＴ５６において、遮断の完了を示す遮断完了情報の送信が通信部２３に要求されることで、該遮断完了情報が通信部２３の信号線を介して操作装置１０に送信され、その後処理を終了する。
【００５３】
また、ステップＴ５５で遮断が完了していないと判定された場合（Ｔ５５でＮ）、ステップＴ５７において、タイマー、時計ＩＣ等によって遮断弁２６の駆動を開始してから完了時間が経過したか否かが判定される。完了時間が経過していないと判定された場合（Ｔ５７でＮ）、ステップＴ５５に戻り、一連の処理が繰り返される。一方、完了時間が経過していると判定された場合（Ｔ５７でＹ）、ステップＴ５８において、駆動部２７に停止が要求され、通信部２３の電源線３を介して供給された駆動電力の駆動部２７への供給が停止されることで、駆動部２７の駆動が停止され、その後処理を終了する。このように電力の供給を強制的に停止することで、操作装置１５のバックアップ電源１５の無駄な消費を防止している。
【００５４】
以上説明したように、ＣＰＵ１１ａは図５に示す停電時電力供給処理を実行することで、ＣＰＵ１４ａが図１に示す請求項中の停電情報送信手段として機能することになる。そして、図５中のステップＴ５２が停電情報送信手段に相当している。
【００５５】
次に、上述した構成のガス保安システム１における遮断弁電力供給に相当する操作装置１０及び遮断弁ユニット２０の動作（作用）の一例を以下に説明する。
【００５６】
外部電源２からの電力供給によって起動された操作装置１０は、その電力を遮断弁ユニット２０に供給すると共に、停電検出部１４の状態変化に基づいて外部電源２の瞬時停電及び停電の発生を監視する。そして、操作装置１０は、設定部１６がＯＮ状態に設定されている場合、外部電源２の予め定められた瞬時停電（例えば５秒以内）を検出したときは、遮断弁ユニット２０を遮断せず、また、瞬時停電よりも長い停電を検出すると、停電発生時の安全確保のための復旧動作の１つとして、バックアップ電源１５の電力を遮断電力として遮断弁ユニット２０として供給すると共に、遮断弁ユニット２０に遮断命令信号を送信する。これより、遮断弁ユニット２０は、遮断弁２６を弁閉させることで、ガス供給路を遮断するため、停電によるガス漏れ事故の発生を防止することができる。また、操作装置１０は、設定部１６がＯＦＦ状態に設定されている場合、外部電源２の予め定められた瞬時停電のを検出したとき、及び、瞬時停電でないと判定しても、バックアップ電源１５の電力を遮断電力として遮断弁ユニット２０として供給しない。
【００５７】
従って、操作装置（遮断弁電力供給装置）１０が停電を検出したときに遮断弁ユニット２０に遮断電力を供給するか否かを設定部１６で設定できるようにしたことから、瞬時停電であるか否かを判定したときに遮断弁ユニット２０の遮断弁２６を駆動させることができるため、安全性の向上を図ることができる。しかも、瞬時停電が頻発する場合は、瞬時停電の検出に応じた遮断弁の駆動を停止させることができるので、操作装置１０におけるバックアップ電源１５の電力を無駄に消費することを防止できる。従って、利便性を低下させることなく安全性を向上し且つバックアップ電源の無駄な消費を回避することができる操作装置１０を有するガス保安システム１を提供できる。
【００５８】
また、操作装置１０が外部電源２からの電力を遮断弁ユニット２０に供給している状態で、遮断弁ユニット２０は停電、つまり操作装置１０から電力供給が停止したことを検出すると、停電情報を通信線４を介して操作装置１０に送信する。そして、操作装置１０は、受信した停電情報と前記駆動電力供給手段１１ａ１等の予め定められた確認ポイントを参照して電源系の故障箇所を推測し、その異常箇所を表示部１７に表示することで通知する。
【００５９】
よって、遮断弁ユニット２０が操作装置１０からの電力が断たれたことを検出したときに、停電情報を操作装置１０に送信し、操作装置１０がその停電情報の受信に応じて電源系の異常箇所を推測して通知するようにしたことから、電源系の異常箇所を速やかに修理することができるため、瞬時停電ではないとの判定に応じて確実に遮断弁を遮断駆動させることができ、安全性をより一層向上させることができる。
【００６０】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００６１】
【図１】本発明に係る遮断弁電力供給装置及び遮断システムの基本構成を示す構成図である。
【図２】本発明を適用したガス保安システムの概略構成を示すシステム構成図である。
【図３】図２中の停電検出部の概略構成の一例を示す構成図である。
【図４】図２中の操作装置のＣＰＵが実行する本発明に係る停電時電力供給処理の一例を示すフローチャートである。
【図５】図２中の遮断弁ユニットのＣＰＵが実行する本発明に係る停電時駆動処理の一例を示すフローチャートである。
【符号の説明】
【００６２】
１    遮断システム（ガス保安システム）
２    外部電源
３    電源線
４    信号線
５    配管
１０    遮断弁電力供給装置（操作装置）
１１ａ１    駆動電力供給手段（操作装置のＣＰＵ）
１１ａ２    瞬時停電判定手段（操作装置のＣＰＵ）
１１ａ３    遮断電力供給制御手段（操作装置のＣＰＵ）
１１ａ４    異常箇所推測手段（操作装置のＣＰＵ）
１１ａ５    通知手段（操作装置のＣＰＵ）
１３    装置側通信手段
１４    停電検出手段
１５    バックアップ電源
１６    設定手段
２０    遮断弁ユニット
２１ａ    停電情報送信手段（遮断弁ユニットのＣＰＵ）
２３    ユニット側通信手段
２６    遮断弁
２７    駆動手段
【図１】
0005114698.tif 000002
【図２】
0005114698.tif 000003
【図３】
0005114698.tif 000004
【図４】
0005114698.tif 000005
【図５】
0005114698.tif 000006